(57)【要約】      （修正有）【課題】即席カップ食品容器に熱湯を安全に注入できて熱湯が漏れ出ることなく、安全に持ち運べるようにできる注湯筒を提供する。【解決手段】即席カップ食品容器５に熱湯を注入可能に注湯筒１を所定口径として、この注湯筒１の下端部を即席カップ食品容器５の上面の蓋６に注湯筒１を突き刺して熱湯を注入するようにする。注湯筒１を紙材で作成することが好ましく、扇状や矩形状の紙材の側端部を細棒状に巻回して芯部を作成して紙材を筒状に曲げて注湯筒とするとともに、芯部の下端部を尖鋭状として即席カップ食品容器の上面の蓋に突き刺す。また、注湯筒を上部の口径が太くて下部の口径を細くした三角錐状に形成し、この注湯筒１の下部の側面に所要の大きさの流入口３を開口したり、注湯筒を平坦状に折畳み可能とすることもできる。【選択図】図１
2020058402.tif 000002
【特許請求の範囲】
【請求項１】
即席カップ食品容器に熱湯を注入可能に注湯筒を所定口径として、この注湯筒の下端部を即席カップ食品容器の上面の蓋に注湯筒を突き刺して熱湯を注入することを特徴とする即席カップ食品用の注湯方法。
【請求項２】
注湯筒の下端部を尖鋭状として、即席カップ食品容器の上面の蓋に注湯筒を突き刺すことを特徴とする請求項１に記載の即席カップ食品用の注湯方法。
【請求項３】
注湯筒を上部の口径が太くて下部の口径を細くした三角錐状に形成し、この注湯筒の下部の側面に所要の大きく開口した注出口から熱湯を注入することを特徴とする請求項１または２に記載の即席カップ食品用の注湯方法。
【請求項４】
注湯筒を紙材で作成したもので、この所定の紙材の側端部を細棒状に巻回して芯部を作成してこの紙材を筒状に曲げて注湯筒とし、上記芯部の下端部を尖鋭状として即席カップ食品容器の上面の蓋に突き刺すようにしたことを特徴とする即席カップ食品用の注湯筒。
【請求項５】
注湯筒を平坦状から筒状に、または筒状から平坦状に折畳み可能に形成したことを特徴とする請求項４に記載の即席カップ食品用の注湯筒。
【発明の詳細な説明】
【技術分野】
【０００１】
本発明は、食品分野におけるインスタントラーメンやうどん等の即席カップ食品用の注湯方法および注湯筒に関するものである。
【背景技術】
【０００２】
カップ入りの即席カップ食品は、カップ食品容器の上面にシールした蓋の一部分を剥がし、この剥がした容器の開口部から熱湯を注いで注ぎ終わったら、剥がした容器の蓋を閉じ、内部に装填されている即席カップ食品が加熱されるのを待って、蓋を全面的に剥がして食するようにされている。
【０００３】
しかし、即席カップ食品容器の蓋を剥がした開口部から熱湯を注いで、剥がした蓋を開口部に閉じても、容器の開口部を完全に塞ぐことができず、そのシール部から熱湯が漏れ出たり、熱気が放出し、即席カップ食品を十分に加熱することが難しかった。このようなことから、特開２００６−３２６８７号公報のようにインスタント麺カップの蓋おさえが提案されている。
【先行技術文献】
【特許文献】
【０００４】
【特許文献１】特開２００６−３２６８７号公報
【発明の開示】
【発明が解決しようとする課題】
【０００５】
しかし、インスタント麺カップの直径方向にわたって蓋をおさえることによってかなりの効果はあるものの、熱湯を注いだ容器を持ち運ぶと、剥がした蓋で開口部を閉じていても、開口部を完全に塞ぐことができず、容器から熱湯が漏れ出て持ち運ぶ手に火傷をするおそれがあり、即席カップ食品容器に熱湯を安全に注入できて、即席カップ食品容器から熱湯が漏れ出ることなく、安全に持ち運べるようにすることが課題であった。
【課題を解決するための手段】
【０００６】
本発明は、上記のような点に鑑みたもので、上記の課題を解決するために、即席カップ食品容器に熱湯を注入可能に注湯筒を所定口径として、この注湯筒の下端部を即席カップ食品容器の上面の蓋に注湯筒を突き刺して熱湯を注入することを特徴とする即席カップ食品用の注湯方法を提供するにある。
【０００７】
また、注湯筒の下端部を尖鋭状として、即席カップ食品容器の上面の蓋に注湯筒を突き刺すことを特徴とする即席カップ食品用の注湯方法を提供するにある。
【０００８】
さらに、注湯筒を上部の口径が太くて下部の口径を細くした三角錐状に形成し、この注湯筒の下部の側面に所要の大きく開口した注出口から熱湯を注入することを特徴とする即席カップ食品用の注湯方法を提供するにある。
【０００９】
またさらに、注湯筒を紙材で作成したもので、この所定の紙材の側端部を細棒状に巻回して芯部を作成してこの紙材を筒状に曲げて注湯筒とし、上記芯部の下端部を尖鋭状として即席カップ食品容器の上面の蓋に突き刺すようにしたことを特徴とする即席カップ食品用の注湯筒を提供するにある。
【００１０】
さらにまた、注湯筒を平坦状から筒状に、または筒状から平坦状に折畳み可能に形成したことを特徴とする即席カップ食品用の注湯筒を提供するにある。
【発明の効果】
【００１１】
本発明は、特許請求の範囲の請求項１のように、即席カップ食品容器に熱湯を注入可能に注湯筒を所定口径として、この注湯筒の下端部を即席カップ食品容器の上面の蓋に注湯筒を突き刺して熱湯を注入することによって、即席カップ食品容器の上面の蓋に注湯筒を突き刺して、従来のような容器の蓋をシール部から剥がすことなく、また持ち運んでも熱湯が蓋のシール部から漏れ出ることなく、熱気がシール部から漏出することなく、即席カップ食品を熱湯で加熱することができる。
【００１２】
また、上記請求項２のように、注湯筒の下端部を尖鋭状として、即席カップ食品容器の上面の蓋に注湯筒を突き刺すことによって、注湯筒をその下端部の尖鋭部で容易に即席カップ食品容器の上面の蓋に突き刺して、即席カップ食品を熱湯で加熱することができる。
【００１３】
また、上記請求項３のように、注湯筒を上部の口径が太くて下部の口径を細くした三角錐状に形成し、この注湯筒の下部の側面に所要の大きさの注出口を開口したことによって、給湯ポット等の給湯器の熱湯を注湯筒の上部の太い口径から容易に注入できるとともに、下部の細い口径に注入していって、側面に大きく開口した開口部から即席カップ食品容器に円滑に注出することができる。
【００１４】
また、上記請求項４のように、注湯筒を紙材で作成したもので、この所定の紙材の側端部を細棒状に巻回して芯部を作成してこの紙材を筒状に曲げて注湯筒とし、上記芯部の下端部を尖鋭状として即席カップ食品容器の上面の蓋に突き刺すようにしたことによって、注湯筒が紙材であっても、紙材を細棒状に巻回して芯部として強化でき、その芯部の下端部を尖鋭状とすることで、即席カップ食品容器の上面の蓋に容易に突き刺せて即席カップ食品容器に熱湯を注入することができる。
そして、注湯筒が紙材なので、使用後に廃棄しても、マイクロプラスチィクス等による公害を発生することを防止できる。
【００１５】
さらにまた、上記請求項５のように、注湯筒を平坦状から筒状に、または筒状から平坦状に折畳み可能に形成したことによって、注湯筒に嵩ばらなく提供でき、使用後に平坦状に折畳んでフォークやスプーンのようにして利用して即席カップ食品を食することができる。
【図面の簡単な説明】
【００１６】
【図１】本発明の一実施例の一部省略した概要説明用側断面図、
【図２】同上の注湯筒の側面図（ａ）、平面図（ｂ）と展開図（ｃ）、
【図３】同上の他の実施例の注湯筒の側面図（ａ）、平面図（ｂ）と展開図（ｃ）、
【図４】同上のさらに他の実施例の注湯筒の正面図（ａ）と折畳み状態の側面図（ｂ）。
【発明を実施するための形態】
【００１７】
本発明の即席カップ食品用の注湯方法および注湯筒は、即席カップ食品容器に熱湯を注入可能に注湯筒を所定口径として、この注湯筒の下端部を即席カップ食品容器の上面の蓋に注湯筒を突き刺して熱湯を注入することを特徴としている。
【００１８】
即席カップ食品用の注湯筒１は、図１のように熱湯を上部の注入口２から注入して下部の注出口３から流出するように筒状としていて、その注湯筒１の下端部を尖らせた尖鋭部４等として、即席ラーメンやうどん等の即席カップ食品容器５の上面の蓋６に注湯筒１を突き刺して熱湯を注入できるようにしている。
【００１９】
注湯筒１は、紙材やプラスチックス、アルミニューム、ステンレススチール、セラミックス等で成形でき、特に菓子、医薬品、飲料の容器用の表面に撥水ライナー、耐水ライナーのコーティングしたクラフト紙等の所要の厚さのものも使用できる。紙材とすると、使用後に廃棄処分しても、マイクロプラスチィクス等による公害が発生することを防止できて好ましい。
【００２０】
上記注湯筒１は、給湯ポット等の給湯器から円滑に熱湯を注入できるように上部の注入口２、下部の注出口３の口径を２０〜３０ｍｍ程と太くすることが好ましく、特に紙材では注湯筒１の下端部を尖らせた尖鋭部４として、その下部の側面に所要の大きさの注出口３を開口することができ、即席カップ食品容器５の上面の蓋６に突き刺し易くするのが好ましい。しかし、成形容易な直筒状とすることもできる。
また、即席カップ食品容器５の蓋６の一部を薄くするなど、破れやすく、または突き刺しやすくしておけば、強度の弱い紙等の下端部を特に尖鋭状にしなくても、筒状の注湯筒１で即席カップ食品容器５の蓋６に突き刺すことが可能である。
【００２１】
上記注湯筒１の下端部の尖鋭部４の先端角度としては、２０〜９０度の鋭角状とするのが好ましく、特に２０〜４０度位の鋭角状とするのが、即席カップ食品容器５の上面の蓋６に注湯筒１を突き刺し易くできて好ましい。
【００２２】
注湯筒１は、たとえば図２（ａ）、（ｂ）、（ｃ）のように扇状の紙材の図２（ｃ）のようなその展開材から折り曲げて接合して、上部の注入口２の口径を太くした三角錐形状の筒状とし、下部の側面に所要の大きさの注出口３を開口し、給湯ポット等の給湯器の熱湯を注湯筒１の上部の太い口径側から下部の細い口径側に注入しても、注湯筒１の下部の注出口３から十分に熱湯を即席カップ食品容器５に注出するようにできる。
【００２３】
また、注湯筒１は、図３（ａ）、（ｂ）、（ｃ）のように扇状の紙材の図３（ｃ）のように展開材の側端部を細棒状に巻回して糊着して芯部７を作成し、この紙材を三角錐形状の筒状に曲げて糊着して注湯筒１とできる。そして、芯部７の下端部を尖らせた尖鋭部４として、即席カップ食品容器５の上面の蓋６に容易に突き刺すようにしている。注湯筒１が紙材であっても、紙材を細棒状に巻回して芯部７を形成して強化でき、即席カップ食品容器５の上面の蓋６に確実に突き刺せて熱湯を注入するようにできる。
【００２４】
上記の注湯筒１の芯部７としては、細棒状に巻回したものに限らず、紙材の一部を折畳んだり、下部に芯部７を付加したりして強化することもできる。
【００２５】
また、注湯筒１は、図４（ａ）、（ｂ）のように直筒状として、平坦状に折畳み可能に形成することができ、注湯筒１を使用後に平坦状に折畳んで、フォークやスプーンのようにして即席カップ食品を食するようにもできる。
なお、逆に、注湯筒１を予め平坦状としておき、使用時に筒状として、上記のように即席カップ食品容器５の上面の蓋６に突き刺して熱湯を注入するようにできる。注湯筒１を予め平坦状とすると、嵩ばらなく提供できて好ましい。
【００２６】
即席カップ食品容器としては、上記した即席カップラーメン、うどん、そばの他に、スープ、味噌汁用等のカップ状、碗状等の公知のものが適用可能である。
【００２７】
このように、注湯筒１としては、いろいろな強度を有する形態として、即席カップ食品容器５の上面の蓋６に突き刺して熱湯を注入するようにできるもので、上記した形態に限らずに、本発明の趣旨にもとずいて様々な実施態様を採択できるものである。
【実施例】
【００２８】
図１以下は、本発明の実施例を示すものである。即席カップ食品用の注湯筒1 は、紙材で図１のように三角錐形の筒状に気密状に接合して、図のように熱湯を上部の注入口２から注入して下部の注出口３に注出するようにし、その注湯筒１の下端部の先端を尖らせた尖鋭部４として、即席カップ食品容器５の上面の蓋６に注湯筒１を突き刺して熱湯を注入するようにしている。
【００２９】
注湯筒1 は、飲料容器用のクラフト紙の所要厚さの紙材の表面に撥水ライナーをコーティングしたもので、図２（ａ）、（ｂ）、（ｃ）のように扇状の展開材を折り曲げて糊着して三角錐形の筒状として、上部の注入口２の口径を３０ｍｍ程とし、下部を４０度位の鋭角状の尖鋭部４とし、その側面に所要の大きさの注出口３を開口している。
【００３０】
使用時にあっては、図１のように注湯筒１の下端部の尖らせた尖鋭部４を即席カップ食品容器５の上面の蓋６の中央部に突き刺して、給湯ポットの給湯器の熱湯を上部の注入口２から注入し、下部の側面に開口した注出口３に注出して熱湯を注入できる。そのため、従来のように容器５の蓋６をシール部から剥がすことなく、また持ち運んでも熱湯がシール部から漏れ出ることなく、熱気がシール部から漏出することなく、即席カップ食品を熱湯で効率よく加熱して食することができる。
【００３１】
また、注湯筒１を上部の口径が太くて下部の口径を細くした三角錐状に形成し、この注湯筒１の下部の側面に所要の大きさの注出口３を開口したので、給湯ポット等の給湯器の熱湯を注湯筒１の上部の太い口径から容易に注入できるとともに、下部の細い口径に注入していっても、側面に大きく開口した注出口３から即席カップ食品容器５に円滑に注出することができる。
【００３２】
図３は、本発明の他の実施例を示すもので、注湯筒１は図３（ａ）、（ｂ）、（ｃ）のように扇状の紙材の側端部を細棒状に巻回して強化した芯部７を作成し、この紙材を筒状に曲げて注湯筒１としている。芯部７の下端部を尖らせて尖鋭部４として、即席カップ食品容器５の上面の蓋６に容易に突き刺せるようにしている。本実施例のように、注湯筒１が紙材であっても、紙材に芯部７を形成して強化でき、即席カップ食品容器５の上面の蓋６に容易に突き刺せて熱湯を注入するようにできる。
【００３３】
図４は、本発明のさらに他の実施例を示すもので、注湯筒１は図４（ａ）のように長方形状の紙材を折り曲げて直筒状に形成し、注湯筒１を図４（ｂ）のように平坦状に折畳み可能に形成したものである。本実施例では、注湯筒１を使用後に平坦状に折畳んで、フォークやスプーンのようにして即席カップ食品を食することができる。
【００３４】
逆に、注湯筒１を予め折畳み状態の平坦状としておくこともでき、使用時に上記のような筒状にして、即席カップ食品容器５の上面の蓋６に突き刺して熱湯を注入するようにできる。注湯筒１を予め平坦状とすると、嵩ばらなく提供できる。
【００３５】
なお、注湯筒１を紙材で作成すると、使用後に廃棄処分しても、マイクロプラスチィクス等による公害を発生することを防止できて、環境にやさしくて好ましい。
【００３６】
上記したように本発明の注湯筒１としては、三角錐形状、直筒形状等や、注湯筒１に芯部７を形成したり、その芯部７は紙材の一部を折畳んだり、下部に芯部７を付加したりして強化したり、さらには多角筒状等として下端部の角部で蓋６に孔を開けて突き刺したりするなど、いろいろな形態として即席カップ食品容器５の上面の蓋６に突き刺して熱湯を注入するようにできるもので、本発明の趣旨にもとずいて様々な実施態様を採択できるものである。
【産業上の利用可能性】
【００３７】
本発明は、食品分野におけるインスタント麺カップ等の即席カップ食品容器に広く利用することができる。
【符号の説明】
【００３８】
１…注湯筒    ２…注入口    ３…注出口    ４…尖鋭部    ５…即席カップ食品容器  ６…蓋        ７…芯部
【図１】
2020058402.tif 000003
【図２】
2020058402.tif 000004
【図３】
2020058402.tif 000005
【図４】
2020058402.tif 000006